(57)【特許請求の範囲】
【請求項１】
アクセサリー装置が着脱可能に装着されると共に機器本体に固定されるアクセサリーシューと、
前記機器本体に設けた開口部に着脱可能に装着されると共に、前記アクセサリーシューを覆うシューカバーと、
前記シューカバーの表面に両面接着紙を用いて固定される導電性の化粧部材と、
前記シューカバーと前記両面接着紙との間に介在される導電性のばね部材と、を備え、
前記ばね部材は、一本の線形部材を折り曲げ加工することにより形成され、前記シューカバーを貫通して前記アクセサリーシューに接触する第１の接触部と、前記両面接着紙に設けられた貫通穴を貫通して前記化粧部材に接触する第２の接触部と、前記第１の接触部と前記第２の接触部とを連結する支持部とを有し、
前記シューカバーは、前記ばね部材の前記支持部に係合し、前記第２の接触部が前記化粧部材に押圧されることによって前記支持部が前記両面接着紙の接着面よりも上に移動することを防ぐ第１係合突起と、前記支持部に係合し、前記ばね部材の前記第１の接触部が前記アクセサリーシューに押し上げられることによって前記第２の接触部が前記化粧部材側へ移動することを防ぐ第２係合突起と、を有する
ことを特徴とする電子機器。
【請求項２】
前記第２係合突起は、前記ばね部材の前記第１の接触部が前記アクセサリーシューに押し上げられることによって前記支持部が前記両面接着紙の接着面よりも上に移動することを防ぐ位置に設けられることを特徴とする請求項１記載の電子機器。
【請求項３】
前記ばね部材の前記第１の接触部は、前記アクセサリーシューの上部に設けた２つの上面部に接触する２つの第１接触片を有することを特徴とする請求項１又は２に記載の電子機器。
【請求項４】
前記ばね部材の前記第２の接触部は、前記２つの第１接触片の内側に配置された２つの第２接触片を有し、
前記支持部は、少なくとも前記２つの第１接触片と前記２つの第２接触片とをそれぞれ連結する一対の第１連結片を有することを特徴とする請求項３記載の電子機器。
【請求項５】
前記シューカバーは、前記ばね部材が装着されるばね装着溝を有し、
前記第１係合突起及び前記第２係合突起は、前記ばね装着溝内に形成されていることを特徴とする請求項１〜４の何れかに記載の電子機器。
【請求項６】
前記ばね装着溝には、前記ばね部材の前記支持部の一部が載置される支持面が形成されていることを特徴とする請求項５記載の電子機器。
【発明の詳細な説明】
【技術分野】
【０００１】
本発明は、フラッシュ装置や外付けマイクロホン等のアクセサリー装置が着脱可能に装着されるアクセサリーシューと、アクセサリー装置の不使用時にそのアクセサリーシューを覆うシューカバーとを備えた電子機器に関するものである。
【背景技術】
【０００２】
従来の、この種の電子機器としては、例えば、特許文献１に記載されているようなものがある。特許文献１には、アクセサリーシュー装置および電子機器に関するものが記載されている。この特許文献１に記載された電子機器は、「電源用または信号授受用の接片を有する電子機器側コネクタを備えた電子機器であって、前記電子機器側コネクタは、前記電子機器に装着されるアクセサリーに設けられ電源用または信号授受用の接片を有するアクセサリー側コネクタが挿入され、かつ、前記挿入方向と直交する方向に移動される空間部を備え、前記空間部の底部を形成する前記電子機器側コネクタの箇所には、前記移動される方向と直交する方向において互いに向かい合い前記移動される方向に延在する一対のコネクタ側ガイド面が設けられ、前記電子機器側コネクタの接片は、前記空間部の底部で前記一対のコネクタ側ガイドの間の箇所に、前記移動される方向と直交する方向に複数並べられて設けられる」ことを特徴としている。
【０００３】
このような構成を有する特許文献１に記載の電子機器によれば、「アクセサリー側コネクタの一対のアクセサリーガイド面の間に設けられた複数の接片と、電子機器側コネクタの一対のコネクタ側ガイド面の間に設けられた複数の接片とが接触される際の各接片の配列方向における相対的な位置決めを高精度に行うことができる（段落［０００５］を参照）」等の効果が期待される。
【特許文献１】特開２００５−３１５９８９号公報
【０００４】
しかしながら、特許文献１に記載された電子機器においては、機器本体に電子機器側コネクタ（本願発明のアクセサリーシューに相当するため以下「アクセサリーシュー」という。）を配設するための凹部と、この凹部を開閉する蓋（本願発明のシューカバーに相当するため以下「シューカバー」という。）を有する構成となっていた。このようなシューカバーは、一般的に、合成樹脂により形成され、機器本体に合わせた塗装等が施されている。
【０００５】
一方、近年の機器本体としては、高級感を有するものが求められており、この高級感を出すために機器本体の表面に金属感を出現させることが行われている。これに伴い、アクセサリーシューを覆うシューカバーにおいても、金属感を出現させるために表面に金属性の化粧部材を取り付けることや、金属のコーティング或いは塗装を施す等の処理が行われている。例えば、このような化粧部材の金属材料としては、加工が容易であって、高級感を発揮し得るアルミニウム合金が多く用いられている。
【０００６】
ところが、アルミニウム合金を化粧部材として使用する場合には、アルミニウム合金が静電気を帯電し易いという性質を有するため、帯電した静電気の影響により、機器本体の内部に収納された電気部品、電子部品等が破損する等の不具合が生じるおそれがあるという問題があった。
【発明の開示】
【発明が解決しようとする課題】
【０００７】
解決しようとする問題点は、アクセサリーシューを覆うシューカバーの表面に静電気を帯電し易い材質の化粧部材を取り付けると、その化粧部材に帯電された静電気がショートして機器本体側に流れることにより内部に収納された電気部品、電子部品等に不具合が生じるおそれがある、という点である。
【課題を解決するための手段】
【０００８】
本発明の電子機器は、アクセサリー装置が着脱可能に装着されると共に機器本体に固定されるアクセサリーシューと、機器本体に設けた開口部に着脱可能に装着されると共に、アクセサリーシューを覆うシューカバーと、シューカバーの表面に両面接着紙を用いて固定される導電性の化粧部材と、シューカバーと両面接着紙との間に介在される導電性のばね部材とを備えている。ばね部材は、一本の線形部材を折り曲げ加工することにより形成されている。このばね部材は、シューカバーを貫通してアクセサリーシューに接触する第１の接触部と、両面接着紙に設けられた貫通穴を貫通して化粧部材に接触する第２の接触部と、第１の接触部と第２の接触部とを連結する支持部とを有している。シューカバーは、第１係合突起と、第２係合突起とを有している。第１係合突起は、ばね部材の支持部に係合し、第２の接触部が化粧部材に押圧されることによって支持部が両面接着紙の接着面よりも上に移動することを防ぐ。第２係合突起は、支持部に係合し、ばね部材の第１の接触部がアクセサリーシューに押し上げられることによって第２の接触部が化粧部材側へ移動することを防ぐ。
【発明の効果】
【０００９】
本発明の電子機器によれば、シューカバーに取り付けた導電性の化粧部材とアクセサリーシューとを、導電性のばね部材によって電気的に接続するため、化粧部材に帯電された静電気をばね部材及びアクセサリーシューを介して逃がすことができ、機器本体の内部に収納されている電気部品、電子部品等が破損する等の不具合を防止することができる。
【発明を実施するための最良の形態】
【００１０】
シューカバーの表面に取り付けた化粧部材に静電気が帯電した際、その静電気をばね部材及びアクセサリーシューを介して逃がすことができ、機器本体の内部に収納されている電子部品、電気部品等に不具合が生じることを防止する電子機器を、簡単な構成によって実現した。
【００１１】
図１〜図１４は、本発明の実施の形態の例を説明するものである。即ち、図１は本発明の電子機器の第１の実施の例を示すデジタルビデオカメラのシューカバーを開いた状態を正面側から見た斜視図、図２は図１に示すデジタルビデオカメラのシューカバーとアクセサリーシューを説明するための断面図、図３は同じくアクセサリーシューの取り付け状態を示す説明図、図４はアクセサリーシューとそのアクセサリーシューに接触するばね部材を表す説明図である。
【００１２】
図５はシューカバーを背面側から見た斜視図、図６は図５に示すシューカバーから化粧部材を取り外した状態の斜視図、図７は図６に示す状態から両面接着紙を取り外した状態の斜視図、図８はシューカバーにばね部材を装着した状態の説明図、図９は化粧部材とばね部材との接触状態を示す説明図、図１０及び図１１は、シューカバーの第２の具体例を示す説明図、図１２〜図１４はシューカバーの第３の具体例を示す説明図である。
【００１３】
図１は、本発明の電子機器の一具体例を示す撮像装置の第１の実施の形態として適用したデジタルビデオカメラ１である。このデジタルビデオカメラ１は、情報記憶媒体の一具体例としてカセットケース内に磁気テープを収納したテープ状記憶媒体（例えば、テープカセット等）を使用し、光学的な画像をＣＭＯＳイメージ・センサー等の撮像素子で電気的な信号に変換してテープ状記憶媒体に記録したり、液晶ディスプレイ等の平面パネルからなる表示装置に表示できるようにしたものである。しかしながら、情報記憶媒体としては、この実施例のテープ状記憶媒体に限定されるものではなく、光ディスク、光磁気ディスク、磁気ディスク等のディスク状記憶媒体や、半導体記憶媒体を用いることもできる。
【００１４】
デジタルビデオカメラ１は、機器本体の一具体例を示すケース本体２と、このケース本体２の内部に収納されると共に着脱自在に装着される情報記憶媒体としてのテープカセットの磁気テープを走行駆動して情報信号の記録（書き込み）及び再生（読み出し）を行うテープドライブ装置（メカデッキ）と、このテープドライブ装置の駆動制御等を行う制御回路と、ケース本体２に回動自在に取り付けられた表示装置と、被写体の像を光として取り込んでＣＭＯＳイメージ・センサー等の撮像素子に導くレンズ装置３と、フラッシュ装置、外付けマイクロホン等のアクセサリー装置が着脱可能に装着されるアクセサリーシュー４と、アクセサリーシュー４を覆うシューカバー５等を備えて構成されている。
【００１５】
図１に示すように、ケース本体２は、略筒型をなす中空の筐体からなり、軸方向を前後方向に設定したような状態で使用されている。このケース本体２の前部に、略同様の太さを有するレンズ装置３が配設されている。レンズ装置３は、そのレンズ系の光軸を水平方向に向けた状態でケース本体２に取り付けられている。このケース本体２の内部において、レンズ装置３の後部に撮像素子の一具体例を示すＣＭＯＳイメージ・センサーが取り付けられている。そして、レンズ装置３の後方にビューファインダ装置７が配置されている。
【００１６】
ケース本体２の一方の側面には、このケース本体２を把持するための把持部８が設けられている。この把持部８は、その内部に収納された、図には表れないメカデッキのカバー部材を兼ねている。この把持部８の上部を外側へ開くことにより、内蔵されたメカデッキのカセット挿入口が露出され、テープカセットの着脱操作が可能となっている。この把持部８の開放動作は、把持部８の上部に設けたロック解除ボタン９を後方へスライド操作することによってロックが解除され、そのロック解除後に、手動操作（自動操作としてもよい。）で側方へ開くことにより、実行される。一方、把持部８の閉鎖動作は、開放状態の把持部８を内側へ押圧して所定位置まで押し込むことによって実行される。
【００１７】
この把持部８の上部後方に、モード選択スイッチを兼ねる電源スイッチ１１と、静止画の撮影を行うシャッタボタン１２と、所定の範囲内で画像を連続的に拡大（テレ）又は縮小（ワイド）させるズームボタン１３が設けられている。電源スイッチ１１は、回動操作によって電源のオン・オフを切り換える機能と、電源をオンした状態で回動操作することにより複数の機能モードを繰り返すように切り換える機能とを有している。この電源スイッチ１１の下方に、動画撮影を行う図には表れない録画ボタンが設けられている。
【００１８】
更に、把持部８の下部には、前後方向へ架け渡すようにハンドベルト１５が取り付けられ、そのハンドベルト１５にはハンドパッド１６が装着されている。ハンドベルト１５及びハンドパッド１６は、ケース本体２の把持部８を握るユーザーの手を支え、デジタルビデオカメラ１の取り落とし等を防止するものである。
【００１９】
ケース本体２の前面の下部には、ステレオ方式のマイクロホン１８が内蔵されて設けられている。そして、レンズ装置３の前面の上部には、ケース本体２に一体的に設けられているフラッシュ装置の発光部１９が配置されている。また、図示しないが、ケース本体２の把持部８と反対側の側面には、液晶ディスプレイ等の平面パネルを有する表示装置が姿勢変更可能に取り付けられている。更に、ケース本体２の背面には、携帯用電源であるバッテリー装置が着脱可能に装着されるバッテリー収納部が設けられている。
【００２０】
ケース本体２の上部は、マグネシウム合金によるダイカスト成型、いわゆる、マグネシウムダイカストによって形成した外装部材と、この外装部材の表面を覆うアルミニウム合金により形成した化粧板等から構成されている。これにより、ケース本体２の表面に金属感を出現させ、デジタルビデオカメラ１に高級感をだすことができる。このようなケース本体２の上部には、アクセサリーシュー４を露出させるためのシュー用開口部２０が設けられている。アクセサリーシュー４は、レンズ装置３の上方に配置されており、アクセサリー装置を装着しない場合には、シュー用開口部２０に着脱可能に装着されるシューカバー５によって覆われている。
【００２１】
図４に示すように、アクセサリーシュー４は、シュー本体２１と、このシュー本体２１の収納部２２内に収納されて取り付けられるコネクタ部材２３等から構成されている。シュー本体２１は、板金を所定形状に打ち抜くことによって形成された１枚の板金部材からなり、その板金部材に折曲加工を施すことによって底面部２１ａと、一対の側面部２１ｂ，２１ｂと、一対の上面部２１ｃ，２１ｃとが一体に形成されている。
【００２２】
シュー本体２１の底面部２１ａは略四角形をなしていて、その両側を９０度折り曲げて立ち上げることによって一対の側面部２１ｂ，２１ｂが形成されている。更に、各側面部２１ｂ，２１ｂを互いに内側へ９０度折り曲げて水平に対向させることによって一対の上面部２１ｃ，２１ｃが形成されている。これにより、アクセサリーシュー１７には、一対の上面部２１ｃ，２１ｃと一対の側面部２１ｂ，２１ｂと底面部２１ａとで囲まれた収納部２２が形成されている。この収納部２２には、アクセサリー装置と電気的に接続するためのコネクタ部材２３が取り付けられている。
【００２３】
アクセサリーシュー４のコネクタ部材２３は、略直方体をなす筐体を有し、その内部には、図に表れないコネクタ端子が設けられている。このコネクタ部材２３の上面には、所定の幅で前後方向に延在されるスライド溝２３ａが設けられていて、このスライド溝２３ａにスライドカバー２４が前後方向へスライド可能に嵌合されている。このスライドカバー２４は、図示しないコイルばねによって接続部を常時閉じる方向に付勢されており（図４に示す状態）、そのコイルばねの付勢力に抗してスライドカバー２４を後退させることでコネクタ端子が露出されるようになっている。
【００２４】
図２及び図３に示すように、アクセサリーシュー４は、複数の固定ねじ２７によってシュー取付板２６に固定されており、このシュー取付板２６を介してケース本体２に取り付けられている。このシュー取付板２６は、板金によって形成された略長方形の板体からなり、複数の固定ねじ２９によってケース本体２の上部に取り付けられている。更に、シュー取付板２６が取り付けられるケース本体２は、金属材料、例えば、マグネシウム合金によって形成されている。これにより、アクセサリーシュー４のシュー本体２１は、シュー取付板２６を介してケース本体２に接地されている。
【００２５】
シューカバー５は、図２及び図５〜図９に示すような構成を有し、ケース本体２のシュー用開口部２０に装着された状態において、そのケース本体２の一部をなして同一面を形成するようになっている。このシューカバー５は、シューカバー本体３１と、このシューカバー本体３１の表面に取り付けられる導電性の化粧部材３２と、化粧部材３２とアクセサリーシュー４との間に介在されると共にこれら化粧部材３２とアクセサリーシュー４とを電気的に接続する導電性のばね部材３３等を備えて構成されている。
【００２６】
図５及び図６等に示すように、シューカバー本体３１は、ケース本体２の上部に設けたシュー用開口部２０に見合った略小判型とされていて、底面の一方の円弧部側には、下方に突出する嵌合突部３５が設けられている。この嵌合突部３５は、シューカバー５をケース本体２のシュー用開口部２０に装着した状態において、ケース本体２に設けた図示しない嵌合凹部に嵌合され、これにより、シューカバー５がシュー用開口部２０から簡単に外れることを防止している。
【００２７】
シューカバー本体３１の外周縁の一方の直線部には、シューカバー本体３１をケース本体２に連結するための連結ベルト３６が設けられている。この連結ベルト３６の先端部には、係合突部３６ａが形成されていて、その係合突部３６ａを含む先端部がケース本体２の上部に設けられた図示しない開口部に挿通されている。この係合突部３６ａが開口部の周縁に係合することにより、開口部からの連結ベルト３６の抜け出しが防止されている。
【００２８】
図７及び図８等に示すように、シューカバー本体３１の表面には、化粧部材３２が嵌合されるように凹ませた凹陥部４１が形成されており、この凹陥部４１にばね部材３３が装着されるばね装着溝４２が設けられている。シューカバー本体３１のばね装着溝４２は、略長方形をなす枠状の溝部からなり、ばね部材３３が載置される支持面４５と、ばね部材３３が係合される係合突起４６とが設けられている。これら支持面４５及び係合突起４６は、ばね部材３３を係合保持するための保持部となっている。
【００２９】
支持面４５は、第１支持面４５ａと、一対の第２支持面４５ｂ，４５ｂと、一対の第３支持面４５ｃ，４５ｃと、第４支持面４５ｄからなっている。第１支持面４５ａは、ばね装着溝４２の一方の短辺の中間部に設けられおり、一対の第２支持面４５ｂ，４５ｂは、一方の短辺の両端部からそれぞれ角部を経て長辺の中途部に至るように形成されている。
【００３０】
更に、一対の第３支持面４５ｃ，４５ｃは、長辺に一対の第２支持面４５ｂ，４５ｂからそれぞれ適当な間隔をあけて設けられており、第４支持面４５ｄは、他方の短辺の中間部に設けられている。これら支持面４５ａ〜４５ｄの隣り合う支持面間は、裏面まで達する開口部とされていて、第４支持面４５ｄと一対の第３支持面４５ｃ，４５ｃとの間の開口部４７，４７には、ばね部材３３の後述する第１接触片５１ａ，５１ａが貫通される。
【００３１】
また、係合突起４６は、第１支持面４５ａの両側に設けられた一対の第１係合突起４６ａ，４６ａと、一対の第２支持面４５ｂ，４５ｂと一対の第３支持面４５ｃ，４５ｃとの間にそれぞれ設けられた第２係合突起４６ｂ，４６ｂとからなっている。これら４つの係合突起４６ａ，４６ｂには、ばね部材３３の後述する第１連結片５３ａ，５３ａが係合される。
【００３２】
このようなシューカバー本体３１の材質としては、例えば、アクリロニトリル・ブタジエン・スチレン樹脂（ＡＢＳ）を挙げることができるが、これに限定されるものではなく、ポリカーボネート（ＰＣ）、ポリエチレン（ＰＥ）その他の合成樹脂を用いることができるものである。
【００３３】
図５及び図９に示すように、化粧部材３２は、シューカバー本体３１の凹陥部４１に見合った小判型に形成されている。本実施の形態では、化粧部材３２の材料として導電性のアルミ二ウム合金を適用している。これにより、ケース本体２の表面と同様にシューカバー５の表面にも金属感を出現させ、ケース本体２の上部と一体感をもたせることができると共に、デジタルビデオカメラ１に高級感を出すことができる。しかしながら、本発明に係る化粧部材の材料としては、アルミ二ウム合金に限定されるものではなく、チタン合金、ステンレス鋼等の金属材料を適用することができることは勿論、静電気を帯電し易いその他の材料、例えば、合成樹脂に磁性体の金属粉、金属片等を含有させたもの等も適用できるものである。
【００３４】
図２及び図６に示すように、化粧部材３２は、固着手段の一具体例を示す両面接着紙４９によってシューカバー本体３１の凹陥部４１に固定されている。この両面接着紙４９は、化粧部材３２と略同一の大きさに設定されていて、中央部に長方形の貫通穴４９ａが設けられている。この貫通穴４９ａには、ばね部材３３の後述する第２接触片５２ａ，５２ａが貫通される。本実施の形態においては、シューカバー本体３１に化粧部材３２を取り付けるための固着手段として両面接着紙４９を用いたが、本発明に係る固着手段としては、これに限定されるものではなく、接着剤、固定ねじその他の固着手段を用いることができるものである。
【００３５】
図４及び図８等に示すように、ばね部材３３は、１本の線形部材に折曲加工を施すことによって一体的に形成されており、その形状は、シューカバー本体３１のばね装着溝４２に見合った略長方形とされている。このばね部材３３は、アクセサリーシュー４に接触される第１の接触部５１と、化粧部材３２に接触する第２の接触部５２と、第１の接触部５１と第２の接触部５２とを連続すると共にシューカバー本体３１のばね装着溝４２に支持される支持部５３とからなっている。
【００３６】
第１の接触部５１は、ばね部材３３の２つの長辺において、それぞれ一方の端部を形成する２つの第１接触片５１ａ，５１ａを有している。これら第１接触片５１ａ，５１ａは、ばね部材３３がシューカバー本体３１のばね装着溝４２に装着された状態において、そのばね装着溝４２の開口部４７，４７に貫通される。そして、シューカバー５をケース本体２のシュー用開口部２０に装着し状態において、アクセサリーシュー４のシュー本体２１の上面部２１ｃ，２１ｃに接触される。
【００３７】
第２の接触部５２は、１本の線形部材における両端部に相当する第２接触片５２ａ，５２ａを有している。これら第２接触片５２ａ，５２ａは、第１接触片５１ａ，５１ａに連続する短辺と反対側の短辺を内側に折り曲げることで形成され、２つの長辺と略平行に延在されている。更に、各第２接触片５２ａ，５２ａは、上方に突出するようにそれぞれく字状に折り曲げられており、その折り曲げ部分が両面接着紙４９の貫通穴４９ａを貫通して化粧部材３２の内面に接触される。
【００３８】
支持部５３は、２つの第１接触片５１ａ，５１ａと２つの第２接触片５２ａ，５２ａとをそれぞれ連結する第１連結片５３ａ，５３ａと、２つの第１接触片５１ａ，５１ａの第１連結片５３ａ，５３ａと反対側を連結する第２連結片５３ｂとを有している。即ち、ばね部材３３は、第２接触片５２ａ，５２ａを基端として、第１連結片５３ａ，５３ａ、第１の接触片５１ａ，５１ａ、第２連結片５３ｂの順に連続されていて、全体として略長方形をなす枠状に一体成形されている。
【００３９】
図４に示すように、ばね部材３３の第１連結片５３ａは、第１接触片５１ａに至るまでに逐次的に下方に下がる段差を有しており、これにより、上段部５５と、下段部５６とが形成されている。図８に示すように、第１連結片５３ａの上段部５５は、シューカバー本体３１のばね装着溝４２に設けた第１支持面４５ａ及び第２支持面４５ｂに載置されると共に、第１係合突起４６ａに係合される。また、下段部５６は、シューカバー本体３１のばね装着溝４２に設けた第３支持面４５ｃに載置されると共に、第２係合突起４６ｂに係合される。
【００４０】
上述したような構成を有するシューカバー５は、例えば、次のようにして簡単に組み立てることができる。まず、図８に示すように、シューカバー本体３１のばね装着溝４２にばね部材３３を装着する。このとき、ばね部材３３の２つの第１接触片５１ａ，５１ａは、シューカバー本体３１の開口部４７，４７に貫通されて、そのシューカバー本体３１の裏面側に突出される。更に、ばね部材３３の第１連結片５３ａの上段部５５が、シューカバー本体３１の第１係合突起４６ａに係合される共に第１支持面４５ａ及び第２支持面４５ｂに載置される。これにより、第１連結片５３ａと第２接触片５２ａとの連結部分を支点として第２接触片５２ａが上方に付勢される。
【００４１】
次に、図６に示すように、ばね部材３３が装着されたシューカバー本体３１の凹陥部４１に両面接着紙４９を貼り付ける。このとき、ばね部材３３の第２接触片５２ａ，５２ａは、両面接着紙４９の貫通穴４９ａを貫通し、両面接着紙４９の平面よりも上方に突出する。これにより、第２接触片５２ａ，５２ａを、次の作業で取り付ける化粧部材３２に確実に接触させることができる。
【００４２】
次に、ばね部材３３が装着されたシューカバー本体３１の凹陥部４１に化粧部材３２を取り付ける。即ち、シューカバー本体３１の凹陥部４１と化粧部材３２との間に、両面接着紙４９を介在させて、シューカバー本体３１の表面に化粧部材３２を接合する。これにより、図５に示すようなシューカバー５が組み立てられる。このとき、図６に示すように、ばね部材３３の第２接触片５２ａ，５２ａが、両面接着紙４９の貫通穴４９ａを貫通し、化粧部材３２の裏面に接触される。
【００４３】
更に、化粧部材３２に接触した第２接触片５２ａ，５２ａは、その化粧部材３２によりばね部材３３の付勢力に抗して下方に押圧される。これにより、第２接触片５２ａと第１連結片５３ａとの連結部分を支点として、第１連結片５３ａの上段部５５が上方に持ち上げられる（図８を参照）。このとき、第１連結片５３ａの上段部５５が第１係合突起４６ａに係合されているため、上段部５５は、ばね装着溝４２から突出することがなく、両面接着紙４９に対して剥がれる方向に力が加わることを防止することができる。
【００４４】
このようにして組み立てられたシューカバー５を、ケース本体２のシュー用開口部２０に装着すると、シューカバー本体３１の開口部４７，４７を貫通する第１接触片５１ａ，５１ａが、アクセサリーシュー４のシュー本体２１の上面部２１ｃ，２１ｃに接触される。これにより、導電性の化粧部材３２とアクセサリーシュー４とが導電性のばね部材３３によって電気的に接続される。そのため、化粧部材３２に帯電されることがある静電気を、ばね部材３３及びアクセサリーシュー４を介してケース本体２に逃がすことができる。その結果、化粧部材３２に静電気が付加されることによっても、その静電気に起因して機器本体の内部に収納されている電気部品、電子部品等が破損する等の不具合の発生を防止することができる。
【００４５】
また、第１接触片５１ａ，５１ａがシュー本体２１の上面部２１ｃ，２１ｃに接触すると、ばね部材３３に反力が働いて、第１接触片５１ａ，５１が少々上方に押し上げられる。これに伴って、第１接触片５１ａ，５１ａに連続する第１連結片５３ａ，５３ａ及び第２連結片５３ｂも上方に押し上げられる。このとき、第１連結片５３ａ，５３ａの下段部５６，５６がシューカバー本体３１の第２係合突起４６ｂ，４６ｂにそれぞれ係合される。
【００４６】
これにより、第１連結片５３ａ，５３ａ及び第２連結片５３ｂがばね装着溝４２から突出することがなく、これら連結片５３ａ，５３ｂが両面接着紙４９を上方に押圧することを防止することができる。しかも、第２接触片５２ａ，５２ａも上方に押し上げられることがなく、第２接触片５２ａ，５２ａが化粧部材３２を上方に押圧することを防止することができる。その結果、両面接着紙４９をシューカバー本体３１及び化粧部材３２から剥がれ難くすることができ、化粧部材３２をシューカバー本体３１に確実に取付けることができる。
【００４７】
図１０及び図１１は、本発明に係るシューカバーの第２具体例を示すものである。このシューカバー６１が第１の具体例を示すシューカバー５と異なるところは、シューカバー本体６２のばね装着部６５と、このばね装着部６５に装着されるばね部材６３であり、それ以外の構成は同一であるため、シューカバー５と共通する部分には、同一符号を付して詳細な説明は省略する。
【００４８】
図１０は、シューカバー６１等をアクセサリーシュー４の側面部２１ｂと平行な方向に断面した状態を示すものである。図１０に示すように、シューカバー本体６２には、ばね部材６３を装着するためのばね装着部６５が設けられている。このばね装着部６５は、シューカバー本体６２の凹陥部４１に設けられたばね装着溝６５ａと、このばね装着溝６５ａに設けられた貫通穴６５ｂとから構成されている。このばね装着部６５にばね部材６３を装着した状態において、ばね装着溝６５ａには、ばね部材６３の後述する第２の接触部６８が装着され、貫通穴６５ｂには、ばね部材６３の後述する連結部６９が挿通される。
【００４９】
図１１に示すように、ばね部材６３は、導電性のゴム状弾性体からなり、アクセサリーシュー４に接触する第１の接触部６７と、化粧部材３２に接触する第２の接触部６８と、第１の接触部６７と第２の接触部６８とを連結する連結部６９等から構成されている。ばね部材６３の第１の接触部６７は、二又状に形成された一対の第１接触片６７ａ，６７ａからなり、各第１接触片６７ａ，６７ａの外側面がアクセサリーシュー４の上面部２１ｃ，２１ｃに接触される。
【００５０】
第２の接触部６８は、第１の接触部６７と同様に二又状に形成された一対の第２接触片６８ａ，６８ａからなり、各第２接触片６８ａ，６８ａの外側面には表面形状が円弧状に形成された接触突起６８ｂ，６８ｂが形成されている。これら接触突起６８ｂ，６８ｂは、第２の接触部６８を化粧部材３２の裏面に確実に接触させるために設けたものである。また、ばね部材６３の連結部６９は、略長方形の板片からなり、２つの長辺が第１の接触部６７の基端部と第２の接触部６８の基端部とにそれぞれ連続されている。
【００５１】
上述したようなシューカバー６１は、例えば、次のようにして簡単に組み立てることができる。まず、シューカバー本体６２のばね装着部６５にばね部材６３を装着する。即ち、ばね装着部６５の貫通穴６５ｂに、ばね部材６３の第１の接触部６７及び連結部６９をばね装着溝６５ａ側から挿通して、第２の接触部６８をばね装着溝６５ａに係合させる。このとき、ばね部材６３の第２の接触部６８の内面を、ばね装着溝６５ａの表面に接着剤等の固着手段によって固定しても良い。
【００５２】
次に、ばね部材６３が装着されたシューカバー本体６２に、化粧部材３２を両面接着紙４９により取り付ける。これにより、シューカバー６１の組立が完了する。このとき、ばね部材６３の第２の接触部６８に設けた接触突起６８ｂ，６８ｂが化粧部材３２の裏面に接触される。
【００５３】
このようにして組み立てられたシューカバー６１を、ケース本体２のシュー用開口部２０に装着すると、シューカバー本体６２の貫通穴６５ｂを貫通する第１の接触部６７，６７が、アクセサリーシュー４のシュー本体２１の上面部２１ｃ，２１ｃに接触される。このとき、ばね部材６３の第１の接触部６７，６７は、連結部６９側の基端部を支点に弾性（撓み）変形するため、第１の接触部６７，６７をシュー本体２１の上面部２１ｃ，２１ｃに確実に接触させることができる。これにより、化粧部材３２とアクセサリーシュー４とを、ばね部材６３によって電気的に接続することができ、化粧部材３２に付加された静電気を帯電することなく、そのままばね部材６３及びアクセサリーシュー４を介してケース本体２に逃がすことができる。その結果、機器本体の内部に収納されている電気部品、電子部品等が破損する等の不具合の発生を防止することができる。
【００５４】
図１２〜図１４は、本発明に係るシューカバーの第３の具体例を示すものである。このシューカバー７１が第１の具体例を示すシューカバー５と異なるところは、シューカバー本体７２のばね装着部７４と、このばね装着部７４に装着される２つのばね部材７３，７３であり、それ以外の構成は同一であるため、シューカバー５と共通する部分には、同一符号を付して詳細な説明は省略する。
【００５５】
図１２及び図１３に示すように、シューカバー本体７２には、２つのばね部材７３，７３を装着するためのばね装着部７４が設けられている。このばね装着部７４は、シューカバー本体６２の凹陥部４１に設けられた略長方形のばね装着溝７５と、このばね装着溝７５に設けられた貫通穴７６とから構成されている。このばね装着部７４にばね部材７３を装着した状態において、ばね装着溝７５には、各ばね部材７３の後述する第２の接触部７８がそれぞれ収納される。ばね装着部７４の貫通穴７６は、略コ字状をなしており、互いに対向する２辺が位置決め部７６ａ，７６ａとされている。これら位置決め部７６ａ，７６ａには、ばね部材７３の後述する連結部７９がそれぞれ係合される。
【００５６】
図１４に示すように、ばね部材７３は、導電性のコイルばねからなり、アクセサリーシュー４に接触する第１の接触部７７と、化粧部材３２に接触する第２の接触部７８と、第１の接触部７７と第２の接触部７８とを連結する連結部７９等から構成されている。ばね部材７３の第１の接触部７７は、下方に向かって延在される円錐形状のコイル部からなり、先端側に至るに伴って曲率半径が連続して小さくなるように形成されている。この第１の接触部７７の先端は、図１２に示すように、アクセサリーシュー４の上面部２１ｃに接触される。
【００５７】
ばね部材７３の第２の接触部７８は、上方に向かって延在される円錐形状のコイル部からなり、第１の接触部７７と同様に、先端側に至るに伴って曲率半径が小さくなるように形成されている。この第２の接触部７８は、第１の接触部７７に対して反対方向に巻回されていて、その先端は、化粧部材３２の裏面に接触される。また、ばね部材７３の連結部７９は、第１の接触部７７の基端部と第２の接触部７８の基端部とにそれぞれ連続されており、この連結部７９によって第１の接触部７７と第２の接触部７８の間に、ばね装着溝７５の底板部７５ａの厚さに対応した大きさの隙間が設定されている。
【００５８】
上述したようなシューカバー７１は、例えば、次のようにして簡単に組み立てることができる。まず、シューカバー本体７２のばね装着部７４に２つのばね部材７３，７３を装着する。即ち、ばね装着部７４の貫通穴７６に、ばね部材７３の第１の接触部７７及び連結部７９をばね装着溝７５側から挿通して、第２の接触部７８をばね装着溝７５に載置する。これにより、ばね部材７３の第１の接触部７７，７７がシューカバー本体７２の裏面側に配置され、ばね部材７３は、第１の接触部７７と第２の接触部７８とによってばね装着溝７５の底板部７５ａを挟んだ状態となる。
【００５９】
このとき、貫通穴７６のばね位置決め部７６ａ，７６ａに、各ばね部材７３の連結部７９を配置する。これにより、ばね部材７３を所定の位置に位置決めしつつ固定して配置することができる。その結果、シューカバー７１をケース本体２のシュー用開口部２０に装着した際に、各ばね部材７３の第１の接触部７７の先端をシュー本体２１の一対の上面部２１ｃ，２１ｃに確実に接触させることができる。
【００６０】
次に、ばね部材７３が装着されたシューカバー本体７２に、化粧部材３２を両面接着紙４９により取り付ける。これにより、シューカバー７１の組立が完了する。このとき、ばね部材７３の第２の接触部７８が上方に向かって付勢され、その先端が化粧部材３２の裏面に接触される。
【００６１】
このようにして組み立てられたシューカバー７１を、ケース本体２のシュー用開口部２０に装着すると、シューカバー本体３１の裏面側に配置された２つのばね部材７３の各第１の接触部７７，７７が、アクセサリーシュー４のシュー本体２１の上面部２１ｃ，２１ｃに接触される。これにより、化粧部材３２とアクセサリーシュー４とを、ばね部材７３によって電気的に接続することができ、化粧部材３２に付加された静電気が帯電することなく、ばね部材７３及びアクセサリーシュー４を介してケース本体２に逃がすことができる。その結果、機器本体の内部に収納されている電気部品、電子部品等が静電気に起因して破損する等の不具合の発生を防止することができる。
【００６２】
以上説明したように、本発明の電子機器の一具体例を示す撮像装置によれば、カメラ本体（機器本体）に固定されたアクセサリーシューを覆うシューカバーに導電性の化粧部材を取り付け、その化粧部材とアクセサリーシューとを導電性のばね部材によって電気的に接続する構成としたため、化粧部材に付加された静電気を、ばね部材を介してアクセサリーシューに伝え、そのアクセサリーシューからカメラ本体に逃がすことができる。その結果、機器本体の内部に収納されている電気部品、電子部品等が静電気に起因して破損する等の不具合の発生を防止することができる。
【００６３】
本発明は、前述しかつ図面に示した実施の形態に限定されるものではなく、その要旨を逸脱しない範囲内で種々の変形実施が可能である。例えば、前記実施の形態においては、電子機器として撮像装置の一具体例を示すデジタルビデオカメラを適用した例について説明したが、磁気記録再生装置、ディスク記録再生装置、パーソナルコンピュータその他各種の電子機器に適用できるものである。
【図面の簡単な説明】
【００６４】
【図１】本発明の電子機器の第１の実施の形態を示すデジタルビデオカメラ（撮像装置）のシューカバーを開いた状態を正面側から見た斜視図である。
【図２】図１に示すデジタルビデオカメラのシューカバーとアクセサリーシューを説明するための断面図である。
【図３】図１に示すデジタルビデオカメラにアクセサリーシューを取り付けた状態をカメラ本体の内側からみた説明図である。
【図４】図２に示すアクセサリーシューとばね部材の第１の実施の例を背面側から見た説明図である。
【図５】図１に示すデジタルビデオカメラのシューカバーを背面側から見た斜視図である。
【図６】図５に示すシューカバーから化粧部材を取り外して、両面接着紙を露出させた状態の斜視図である。
【図７】図６に示す状態から両面接着紙とばね部材を取り外したシューカバー本体を説明するための斜視図である。
【図８】図７に示すシューカバー本体にばね部材を装着した状態を平面側から見た説明図である。
【図９】図５に示す化粧部材とその化粧部材に接触するばね部材を表す説明図である。
【図１０】図１に示すデジタルビデオカメラに係るシューカバーの第２の実施の例を示す説明図である。
【図１１】図１０に示すばね部材の斜視図である。
【図１２】図１に示すデジタルビデオカメラに係るシューカバーの第３の実施の例を示す説明図である。
【図１３】図１２に示すシューカバー本体を平面側から見た説明図である。
【図１４】図１２に示すばね部材の斜視図である。
【符号の説明】
【００６５】
１…デジタルビデオカメラ（電子機器）、  ２…ケース本体（機器本体）、  ３…レンズ装置、  ４…アクセサリーシュー、  ５，６１，７１…シューカバー、  ２１…シュー本体、  ２１ｃ…上面部、  ２３…コネクタ部材、  ２６…シュー取付板、  ３１，６１，７１…シューカバー本体、  ３２…化粧部材、  ３３，６３，７３…ばね部材、  ４１…凹陥部、  ４２…ばね装着溝、  ４５…支持面、  ４５ａ…第１支持面、  ４５ｂ…第２支持面、  ４５ｃ…第３支持面、  ４５ｄ…第４支持面、４６…係合突起、  ４６ａ…第１係合突起、  ４６ｂ…第２係合突起、  ４７…開口部、  ４９…両面接着紙、  ５１…第１の接触部、  ５１ａ…第１接触片、  ５２…第２の接触部、  ５２ａ…第２接触片、  ５３…支持部、  ５３ａ…第１連結片、  ５３ｂ…第２連結片、  ５５…上段部、  ５６…下段部
【図１】
0004434153.tif 000002
【図２】
0004434153.tif 000003
【図３】
0004434153.tif 000004
【図４】
0004434153.tif 000005
【図５】
0004434153.tif 000006
【図６】
0004434153.tif 000007
【図７】
0004434153.tif 000008
【図８】
0004434153.tif 000009
【図９】
0004434153.tif 000010
【図１０】
0004434153.tif 000011
【図１１】
0004434153.tif 000012
【図１２】
0004434153.tif 000013
【図１３】
0004434153.tif 000014
【図１４】
0004434153.tif 000015